(57)【要約】      （修正有）【課題】クリップを収容した状態で引き出し棚等に収納しておくことができ、しかも、クリップの残量に応じて小さく変形させることができるクリップ用容器を提供する。【解決手段】容器本体１はクリップを出し入れ可能な開口１１を有する袋体によって形成されている。容器本体の底部１４が拡大できるように構成され、底部を拡大させて水平面に載置すると、容器本体が起立した状態で保持される。開口には、開閉自在なファスナー２が設けられていることが好ましい。また、容器本体は不透明で、一部に、内部のクリップの残量を視認することができる窓１６が設けられていることが好ましい。さらに、窓の形状が、内部に収容されるクリップを模した形状となっていることが好ましい。【選択図】図１
0003185323.tif 000002
【実用新案登録請求の範囲】
【請求項１】
紙類を纏めるクリップを収容するための容器であって、
容器本体はクリップを出し入れ可能な開口を有する袋体によって形成され、
前記容器本体の底部が拡大できるように構成され、これにより、当該底部を拡大させて水平面に載置すると、容器本体が起立した状態で保持される
ことを特徴とするクリップ用容器。
【請求項２】
前記開口には、当該開口を開閉自在とさせるファスナーが設けられている
ことを特徴とする請求項１記載のクリップ用容器。
【請求項３】
前記容器本体は不透明に形成されており、
この容器本体の一部に、内部のクリップの残量を視認することできる窓が設けられている
ことを特徴とする請求項１または請求項２に記載のクリップ用容器。
【請求項４】
前記窓の形状が、内部に収容されるクリップを模した形状となっている
ことを特徴とする請求項３記載のクリップ用容器。
【考案の詳細な説明】
【技術分野】
【０００１】
本考案は、書類やメモなどの紙類を纏めるクリップを収容するためのクリップ用容器に関するものである。
【背景技術】
【０００２】
複数の書類を一つに纏めるためにクリップが使用されている（例えば特許文献１参照）。このクリップは、通常、合成樹脂により形成された箱状のケース（以下、箱状のプラスチックケースという）に収容された状態か、或いは、ブリスターパックに収容された状態で店頭に陳列されて販売されている。
【先行技術文献】
【特許文献】
【０００３】
【特許文献１】特開２０１３−２７９９２号公報
【考案の概要】
【考案が解決しようとする課題】
【０００４】
ところで、ブリスターパックに収容されたクリップを購入した場合、ユーザーは、ブリスターパックからクリップを取り出した後、当該ブリスターパックを廃棄することが通常であるため、収納用のケースが別途必要になるという問題がある。
【０００５】
箱状のプラスチックケースに収容されたクリップを購入した場合、ユーザーは、箱状のプラスチックケースをそのまま机の引き出し棚に収容し、必要なときにクリップを取り出して使用することができる。しかしながら、箱状のプラスチックケースでは、クリップの数量が減った場合であっても、その大きさを小さくすることができないため、スペースが無駄になるという問題がある。
【０００６】
本考案は、上記事情に鑑みてなされたものであり、その目的とするところは、クリップを収容した状態で引き出し棚等に収納しておくことができ、しかも、クリップの残量に応じて小さく変形させることができるクリップ用容器を提供することにある。
【課題を解決するための手段】
【０００７】
本考案のクリップ用容器は、紙類を纏めるクリップを収容するための容器であって、容器本体はクリップを出し入れ可能な開口を有する袋体によって形成され、前記容器本体の底部が拡大できるように構成され、これにより、当該底部を拡大させて水平面に載置すると、容器本体が起立した状態で保持されることを特徴とする。
【０００８】
また、本考案のクリップ用容器は、前記開口には、当該開口を開閉自在とさせるファスナーが設けられていることが好ましい。
【０００９】
また、本考案のクリップ用容器は、前記容器本体は不透明に形成されており、この容器本体の一部に、内部のクリップの残量を視認することができる窓が設けられていることが好ましい。
【００１０】
また、本考案のクリップ用容器は、前記窓の形状が、内部に収容されるクリップを模した形状となっていることが好ましい。
【考案の効果】
【００１１】
本考案によれば、クリップを収容した状態で引き出し棚等に収納しておくことができ、しかも、クリップの残量に応じて小さく変形させることができる。
【図面の簡単な説明】
【００１２】
【図１】本実施形態のクリップ用容器の開口を開いた状態の斜視図である。
【図２】本実施形態のクリップ用容器であり（ａ）は正面図であり（ｂ）は右側面図であり（ｃ）は平面図であり（ｄ）は底面図である。
【図３】本実施形態のクリップ用容器の開口を閉じた状態の斜視図である。
【図４】本実施形態のクリップ用容器を下方から見た斜視図である。
【図５】他の実施形態のクリップ用容器の正面図である。
【図６】さらに他の実施形態のクリップ用容器の正面図である。
【考案を実施するための形態】
【００１３】
以下、本考案の実施形態について添付図面に基づいて説明する。
【００１４】
本実施形態のクリップ用容器は、書類やメモなどの紙類を一纏めにするクリップを収容するための容器である。クリップ用容器は、図１に示すように、開口１１を有する容器本体１と、容器本体１の開口１１に設けられたファスナー２とを備えている。なお、以下においては、容器本体１のファスナー２側を上側とし、底部１４側を下側として定義する。
【００１５】
容器本体１は、上方に開口した袋体によって形成されている。容器本体１の開口１１は、容器本体１の内部に連通しており、クリップを出し入れできるように形成されている。容器本体１は、柔軟性のある材料により形成されており、面に交差する方向には弾性変形しやすく、且つ、面方向（面に沿った方向）には変形しにくい（つまり、伸縮しにくい）。
【００１６】
容器本体１は、図２に示すように、正面視略矩形状をしており、下辺が直線状に形成される。容器本体１は、図１に示すように、表面を形成する前側シート部１２と、背面を形成する後側シート部１３と、底部１４とを備えている。前側シート部１２と、後側シート部１３とは同形同大に形成されている。底部１４は、上に凸となるように前後に折り畳まれており、前側シート部１２と後側シート部１３との間に設けられている。容器本体１の左右方向の両端においては、前側シート部１２と後側シート部１３とが固着されている。容器本体１の下部においては、前側シート部１２と底部１４とが固着され、且つ、底部１４と後側シート部１３とが固着されている。これにより、容器本体１は、袋状に形成されている。
【００１７】
なお、前側シート部１２と後側シート部１３と底部１４との固着は、例えば、溶着や接着により行われるが、特に限定されない。
【００１８】
容器本体１の下端部は、図４に示すように、前後に離れるように変形することができ、これにより、底部１４が拡開可能に形成されている。容器本体１は、底部１４を拡開して水平面に載置すると、当該水平面に起立するように構成されている。
【００１９】
前側シート部１２・後側シート部１３・底部１４は、例えば、二軸延伸ポリプロピレン（ＯＰＰフィルム）により形成される。後側シート部１３は、二軸延伸ポリプロピレンの内面側にアルミニウムが蒸着されており、これにより容器本体１の内部を背面側から視認できないように形成されている。なお、後側シート部１３の後面には、模様や色彩などを付すことができる。
【００２０】
また、図１に示すように、前側シート部１２の表面には、化粧面１５が形成されている。図示は省略するが、化粧面１５には模様や色彩等を付すことができる。これにより、容器本体１は不透明となるように形成されている。
【００２１】
容器本体１の前側シート部１２の一部には、残量確認窓１６が設けられている。残量確認窓１６は内外を透過するように透明に形成された部分である。ユーザーは、残量確認窓１６を通して容器本体１の内部を視認することができ、これにより、内部に収納されたクリップの残量を確認することができる。
【００２２】
また、残量確認窓１６の外形は、クリップ用容器に収容されるクリップを模した形状に形成されている（例えば、本実施形態ではダブルクリップを模した形状となっている）。これにより、ユーザーや購入者に対して、内部に収容されるクリップを、残量確認窓１６を通して直接視認させることができるだけでなく、残量確認窓１６の外形を見るだけで、収容されたクリップを一見して把握させることができる。
【００２３】
なお、この残量確認窓１６の変形例として、次のようなものも挙げられる。
【００２４】
ゼムクリップを収容するためのクリップ用容器には、図５に示すような容器が用いられる。この残量確認窓１６の形状は、ゼムクリップを模した形状となっている。
【００２５】
また、目玉クリップを収容するためのクリップ用容器には、図６に示すような容器が用いられる。この残量確認窓１６の形状は、目玉クリップを模した形状となっている。
【００２６】
また、図１に示すように、容器本体１の上端部には、吊り下げ部１７が延設されている。吊り下げ部１７は、逆Ｕ字状に形成されている。吊り下げ部１７は、前側シート部１２と後側シート部１３との両方にそれぞれ設けられている。吊り下げ部１７は、例えばフックに引掛けられ、これにより、フックに容器本体１を吊持させることができる。なお、この吊り下げ部１７は、逆Ｕ字状に限らず、例えば逆Ｊ字状であってもよい。
【００２７】
この容器本体１の開口１１には、ファスナー２が設けられている。ファスナー２は、前側シート部１２の上端部と後側シート部１３の上端部とを着脱自在に連結するものであり、容器本体１の開口１１の内周面に設けられている。言い換えると、ファスナー２は、容器本体１の開口１１に設けられており、当該開口１１を開閉自在とさせる。
【００２８】
以上、説明したように、本実施形態のクリップ用容器は、クリップを収容するための容器である。容器本体１はクリップを出し入れ可能な開口１１を有する袋体によって形成されている。容器本体１の底部１４は拡大することができるように構成され、これにより、当該底部１４を拡大させて水平面に載置すると、容器本体１が起立した状態で保持される。
【００２９】
このように本実施形態のクリップ容器は、袋体によって形成されているため、そのままの状態で引き出し棚などに収納しておくことができ、しかも、内部のクリップの残量に応じて、小さく変形させることができる。その上、容器本体１の底部１４が拡大できるように構成されており、水平面上に起立することができるため、机の上面に載置して収納しておくこともできる。
【００３０】
また本実施形態のクリップ容器は、開口１１に当該開口１１を開閉自在とさせるファスナー２が設けられている。
【００３１】
このため、本実施形態のクリップ容器によれば、平置きした場合であっても、クリップがこぼれにくい。また、ファスナー２によって開口１１が開閉自在となっているため、開閉作業を行ないやすく、ユーザーの使い勝手がよい。
【００３２】
また、本実施形態のクリップ容器の容器本体１は不透明に形成されている。この容器本体１の一部には残量を視認するための窓（残量確認窓１６）が設けられている。
【００３３】
このため、本実施形態のクリップ容器によれば、ユーザーは、クリップの残量確認を簡単に且つ素早く行なうことができる。
【００３４】
また、本実施形態の残量確認窓１６の形状は、内部に収容されるクリップを模した形状となっている。
【００３５】
このため、ユーザーや購入者に対して、内部に収容されるクリップを、残量確認窓１６を通して直接視認させることができるだけでなく、残量確認窓１６の外形からも一見して把握させることができる。
【００３６】
なお、本実施形態のクリップ用容器は、ダブルクリップを収容する容器であったが、クリップとしては、ゼムクリップ（図５）や目玉クリップ（図６）であってもよく、本発明においてクリップの種類は限定されない。
【００３７】
また、本実施形態のクリップ用容器の開口１１は、容器本体１の上端に設けられていたが、本発明において容器本体１に設けられる開口１１は、左右方向のいずれかの端部や中央部であってもよく、上端のみに限定されない。
【００３８】
なお、本発明は、本実施形態にのみ限定されるものではなく、要旨を逸脱しない範囲内で適宜変更して実施し得るものである。
【符号の説明】
【００３９】
１      容器本体
１１    開口
１２    前側シート部
１３    後側シート部
１４    底部
１５    化粧面
１６    残量確認窓
１７    吊り下げ部
２      ファスナー
【図１】
0003185323.tif 000003
【図２】
0003185323.tif 000004
【図３】
0003185323.tif 000005
【図４】
0003185323.tif 000006
【図５】
0003185323.tif 000007
【図６】
0003185323.tif 000008